(57)【要約】 【課題】  土壌が堅密化し、樹木の根の張り具合が悪くなって樹勢が衰えた樹木の樹勢を効果的に回復させることができる樹木の樹勢回復方法を提供することを目的としている。【解決手段】  樹勢の衰えた樹木１を回復させる樹木１の樹勢回復方法であって、樹木１を土壌Ｇから掘り出し、掘り出された樹木１の根２の周りに湿潤状態の泥炭４を巻き付け、その後、泥炭４が埋設されるように樹木１を土壌Ｇに植え付ける。【選択図】      図４
2006109771.tif 000002
【特許請求の範囲】
【請求項１】
樹勢の衰えた樹木を回復させる樹木の樹勢回復方法であって、
樹木を土壌から掘り出し、掘り出された樹木の根の周りに湿潤状態の泥炭を巻き付け、その後、泥炭が埋設されるように樹木を土壌に植え付けることを特徴とする樹木の樹勢回復方法。
【発明の詳細な説明】
【技術分野】
【０００１】
本発明は、樹勢が衰えた樹木の樹勢回復方法に関する。
【背景技術】
【０００２】
樹木が植えられた土壌が踏み固められて堅密化すると、樹木の根の張り具合が悪くなって樹勢が衰える。また、樹木の老朽化によって幹部に空洞が生じた樹木、或いは幹部に樹皮の一部が大きく剥がれ落ちることで其の被傷部位から腐朽が進行した樹木は、倒木の虞がある。このような樹木は、一般に樹勢回復が難しいとされ、廃棄されることが多い。
しかし、寺や公園、個人邸等で大切に育てられた樹木については、樹勢回復措置を施して樹木を残したいという要望が多い。そこで、従来、樹勢回復を行う方法として、堅密化した土壌をほぐして土壌改良を行う方法や、幹部の被傷（空洞）箇所に不定根を生やさせる方法等がある。
【０００３】
土壌改良を行う方法は、土壌をほぐすとともに、植物根の成長を促すピートモスを土壌に混ぜ込み、樹勢回復を図る方法である。ピートモスは堆積した水苔が地中で炭化したものであり、植物根を特異的に成長させる性質がある。
また、不定根を生やさせる方法は、例えば、幹部の被傷箇所に水分を十分に吸い込ませた繊維質のピート（泥炭）を埋め込み、その後、被傷箇所を遮光性及び防水性のシートで覆う方法である。ピートは、有機質が多く含まれた土質であって、植物成長に適したものである（例えば、特許文献１参照。）。
【特許文献１】特開２００２−３１５４３５号公報
【発明の開示】
【発明が解決しようとする課題】
【０００４】
しかしながら、上記した前者（土壌改良を行う方法）の従来の樹勢回復方法では、程度の軽い症状の樹木を回復させることはできるものの、一旦樹勢が衰えた樹木を樹勢回復させることは困難であるという問題が存在する。また、上記した後者（不定根を生やさせる方法）では、幹部の空洞化や被傷等によって枯れかけている樹木に対しては有効であるが、土壌が堅密化し、樹木の根の張り具合が悪くなって樹勢が衰えた樹木に対しては効果が小さい。
【０００５】
本発明は、上記した従来の問題が考慮されたものであり、土壌が堅密化し、樹木の根の張り具合が悪くなって樹勢が衰えた樹木の樹勢を効果的に回復させることができる樹木の樹勢回復方法を提供することを目的としている。
【課題を解決するための手段】
【０００６】
請求項１記載の発明は、樹勢の衰えた樹木を回復させる樹木の樹勢回復方法であって、樹木を土壌から掘り出し、掘り出された樹木の根の周りに湿潤状態の泥炭を巻き付け、その後、泥炭が埋設されるように樹木を土壌に植え付けることを特徴としている。
【０００７】
このような特徴により、樹勢の衰えた樹木には、泥炭の養分が根から直接的に取り入れられる。また、一旦掘り出すことで、泥炭が巻き付けられた根の周りの土壌はほぐされた状態となる。
【発明の効果】
【０００８】
本発明に係る樹木の樹勢回復方法によれば、樹木を土壌から掘り出し、掘り出された樹木の根の周りに湿潤状態の泥炭を巻き付け、その後泥炭が埋設されるように樹木を土壌に植え付けることによって、泥炭の養分が根から直接的に樹勢の衰えた樹木に取り入れられるとともに、樹木を一旦掘り出すことで根の周りの土壌がほぐされ、新たな根が張り巡らされるため、樹木の樹勢を効果的に回復させることができ、回復した樹木の幹部から多数の若芽が生えてくる。
【発明を実施するための最良の形態】
【０００９】
以下、本発明に係る樹木の樹勢回復方法の実施の形態について、図面に基いて説明する。
【００１０】
図１に示す樹木１は、一旦衰弱すると再生が難しく、且つ成木の移植も難しいといわれる樹木であり、例えば柿の木等である。この樹木１には、土壌Ｇの中に伸びる複数の根２が有り、この根２は、土壌Ｇが踏み固められて堅密化しているために張り具合が悪くなっている。このように、根２の張り具合が悪い樹木１は樹勢が衰える。
以下、上記したように樹勢の衰えた樹木１を効果的に回復させる方法について説明する。
【００１１】
まず、図２に示すように、根２の周りの土壌Ｇを掘削して、樹木１を掘り出す工程を行う。具体的には、根２の周りの土壌Ｇを全て掘削する必要はなく、樹木１の幹部３の下方の土壌Ｇを一定範囲だけ掘削する。掘削範囲の広さは、基本的には樹木１の根元部の直径Ｄ１の４倍程度の直径Ｄ２の範囲を目安とし、樹木１の種類や根２の状態によって多少広く或いは狭くしてもよい。このとき、少なくとも、根２の太い部分は露出させて、できる限り、枝分れした部分も露出されていることが望ましい。そして、露出された根２を切断し、樹木１を土壌Ｇ内に埋設されている根２の先端部と切り離し、樹木本体１´を掘削穴Ｈから取り出す。また、必要に応じて、樹木１の幹部３の上部を切り取っておく。
【００１２】
次に、図３に示すように、掘り出された樹木本体１´の根２の周りに泥炭４を巻き付ける工程を行う。具体的には、切断された複数の根２の周りにそれぞれ泥炭４を貼り付け、藁縄や麻縄等の縄５によって縛り、根２を覆う泥炭４を固定する。このとき、泥炭４は、根２の外周面に覆い被されているだけでなく、切断された根２の切断面にも覆い被さるように貼り付ける。また、泥炭４には、乾燥ピートを湿潤化したもの、或いは湿潤状態のものを使用する。また、幹部３の上部を切り取った場合、切断された幹部３に養生フィルム６を被せて切断面を保護する。養生フィルム６は、切断面を保護するとともに、切断面から発芽した際に破れる程度の脆弱性を有するものであり、例えばパラフィルムＰＭ−９９２等が使用される。
【００１３】
次に、図４に示すように、根２に泥炭４が巻き付けられた樹木本体１´を土壌Ｇに埋める工程を行う。具体的には、泥炭４が巻き付いた根２が掘削穴Ｈの中に配置されるように樹木本体１´を設置し、掘削穴Ｈに埋戻土Ｇ´を入れて樹木本体１´を水ぎめしつつ埋め戻して植え付けする。泥炭４は光が当らない条件下で、より高い樹勢回復能力を発揮するため、埋戻土Ｇ´によって遮光させるべく、泥炭４が巻き付いた根２が完全に埋戻土Ｇ´の中に埋設されるように埋め戻する。また、埋め戻された埋戻土Ｇ´は固く締め固めずに、根２が張り巡り易くなるように軽く踏み固める。また、埋め戻された埋戻土Ｇ´を囲うように土を盛り、水鉢７をきっておくことが望ましい。
【００１４】
上記した構成からなる樹木の樹勢回復方法によれば、樹木１を土壌Ｇから掘り出し、掘り出された樹木本体１´の根２の周りに湿潤状態の泥炭４を巻き付け、その後再び樹木本体１´を土壌Ｇに水ぎめしつつ埋め戻して植え付けるため、泥炭４の養分が根２から直接的に樹勢の衰えた樹木本体１´に取り入れられるとともに、一旦掘り出すことで根２の周りの土壌Ｇ（埋戻土Ｇ´）がほぐされる。これによって、泥炭４の養分が樹木本体１´を回復させ、また、ほぐされた埋戻土Ｇ´に新たな根２を張り巡らさせ、樹木本体１´の樹勢を効果的に回復させることができる。そして、回復した樹木´の幹部から多数の若芽が生え、枯れかかっていた樹木１は生き返ることができる。
【００１５】
次に、参考例として、幹部５１が老朽化し、空洞が生じている場合の樹木５０の樹勢回復方法について説明する。
【００１６】
まず、図５に示すように、老朽化して空洞が生じている箇所（空洞箇所５２）と老朽化していない箇所（非枯化箇所５８）との境界部分を削り、非枯化箇所５８の形成層を削り出す工程を行う。具体的には、空洞箇所５２と非枯化箇所５８との境界線に沿って削り、形成層に達する深さの溝５９を形成していく。これによって、発根を阻害するものが無くなり、非枯化箇所５８の形成層から不定根が発根される。また、このとき、空洞箇所５２のうち著しく枯化した部分５２ａも削り取る。
【００１７】
次に、図６に示すように、空洞箇所５２の周りに泥炭５３を巻き付ける工程を行う。具体的には、空洞箇所５２の外周面に湿潤状態の泥炭５３を貼り付け、藁縄や麻縄等の縄５４によって縛り、空洞箇所５２を覆う泥炭５３を固定する。
【００１８】
次に、図７に示すように、空洞箇所５２に貼り付けられた図６に示す泥炭５３を黒色ビニール等の遮光材５５で覆う工程を行う。具体的には、泥炭５３の周りに遮光材５５を巻き付け、縄やテープ等によって固定する。
最後に、図８に示すように、図６に示す泥炭５３や図７に示す遮光材５５で覆われた空洞箇所５２を保護材５６で覆い、縄５７等によって縛り、固定する。
【００１９】
上記した樹木の樹勢回復方法によれば、溝５９に不定根が生え、この不定根が成長して土壌Ｇに至って再生幹となり、この再生幹が土壌Ｇと空洞箇所５２の上方の幹部５１ａとを結ぶ。これによって、再生幹を介して土壌Ｇの栄養分が上方の幹部５１ａに伝えられ、樹勢を回復させることができるとともに、再生幹によって腐朽化した樹木５０が支えられ、倒木を防止することができる。
【００２０】
なお、上述した工程と同時に、樹木５０廻りの土壌に堆肥やピートモスを混合して土壌改良を行ってもよい。これによって、空洞箇所５２に生えた不定根が成長して土壌Ｇに至る際、土壌Ｇがほぐされた状態となるため、より根２が張り巡らされ、樹木本体１´の樹勢を効果的に回復させることができる。
【００２１】
以上、本発明に係る樹木の樹勢回復方法の実施の形態について説明したが、本発明は上記した実施の形態に限定されるものではなく、その趣旨を逸脱しない範囲で適宜変更可能である。例えば、上記した実施の形態では、樹木本体１´を掘り出す際に、根２を切断しているが、本発明は、根を切断せずに、広範囲にわたって掘削して樹木を掘り出してもよい。また、上記した実施の形態では、幹部３の上部を切断しているが、本発明は、幹部を切断しなくてもよい。
【００２２】
また、上記した実施の形態では、根２の一本毎に泥炭４を巻き付けているが、本発明は、近接する複数の根を一纏めにして泥炭を巻き付けてもよい。また、上記した実施の形態では、泥炭４は縄５によって縛られて固定されているが、本発明は、泥炭を根に貼り付けた状態で固定できれば縄でなくてもよく、例えば、麻製のカバー等を被せてもよい。
【００２３】
また、上記した実施の形態では、掘り出された樹木本体１´は、もとの掘削穴Ｈに埋め戻しているが、本発明は、必ずしも同じ場所に埋め戻す必要はなく、違う場所に植え替えてもよい。
【図面の簡単な説明】
【００２４】
【図１】本発明に係る樹木の樹勢回復方法の実施の形態を説明するための施工前の状況を表す図である。
【図２】本発明に係る樹木の樹勢回復方法の実施の形態を説明するための樹木掘出工程の状況を表す図である。
【図３】本発明に係る樹木の樹勢回復方法の実施の形態を説明するための泥炭巻付工程の状況を表す図である。
【図４】本発明に係る樹木の樹勢回復方法の実施の形態を説明するための樹木埋戻工程の状況を表す図である。
【図５】本発明に係る樹木の樹勢回復方法の参考例を説明するための形成層削出工程の状況を表す図である。
【図６】本発明に係る樹木の樹勢回復方法の参考例を説明するための泥炭巻付工程の状況を表す図である。
【図７】本発明に係る樹木の樹勢回復方法の参考例を説明するための遮光材巻付工程の状況を表す図である。
【図８】本発明に係る樹木の樹勢回復方法の参考例を説明するための保護材巻付工程の状況を表す図である。
【符号の説明】
【００２５】
１  樹木
１´  樹木本体（樹木）
４  泥炭
Ｇ  土壌
Ｇ´  埋戻土（土壌）
【図１】
2006109771.tif 000003
【図２】
2006109771.tif 000004
【図３】
2006109771.tif 000005
【図４】
2006109771.tif 000006
【図５】
2006109771.tif 000007
【図６】
2006109771.tif 000008
【図７】
2006109771.tif 000009
【図８】
2006109771.tif 000010